(57)【要約】【課題】電子機器を装着可能であり、該電子機器と通信不能になることを解消したカメラ、カメラシステムを提供する。【解決手段】電気接点８が設けられ、電子機器３が着脱可能に取り付けられる取付部５と、電気接点８を介して電子機器３との間で情報の伝達を行う第１の伝達手段８，９と、電子機器３との間で非接触で前記情報の伝達を行う第２の伝達手段６，７，１０と、第１の伝達手段８，９又は第２の伝達手段６，７，１０を用いて電子機器３と通信を行う制御手段４と、を有し、制御手段４は、第１の伝達手段８，９による通信と第２の伝達手段６，７，１０による通信のうち、電子機器３が実行可能な通信を判定して実行することを特徴とする。【選択図】図１
2011059197.tif 000002
【特許請求の範囲】
【請求項１】
電気接点が設けられ、電子機器が着脱可能に取り付けられる取付部と、
前記電気接点を介して前記電子機器との間で情報の伝達を行う第１の伝達手段と、
前記電子機器との間で非接触で前記情報の伝達を行う第２の伝達手段と、
前記第１の伝達手段又は前記第２の伝達手段を用いて前記電子機器と通信を行う制御手段と、
を有し、
前記制御手段は、前記第１の伝達手段による通信と前記第２の伝達手段による通信のうち、前記電子機器が実行可能な通信を判定して実行することを特徴とするカメラ。
【請求項２】
前記電子機器が前記第１の伝達手段による通信と前記第２の伝達手段による通信の両方を実行可能であることが前記制御手段で判定された場合、前記制御手段は前記第１の伝達手段による通信を実行することを特徴とする請求項１に記載のカメラ。
【請求項３】
前記制御手段は、前記電子機器と通信を行う度に前もって前記電子機器が実行可能な通信を判定することを特徴とする請求項１又は請求項２に記載のカメラ。
【請求項４】
前記第２の伝達手段は、前記電子機器との間で電波を送受することで前記情報の伝達を行うことを特徴とする請求項１から請求項３のいずれか一項に記載のカメラ。
【請求項５】
前記電子機器は、撮影レンズを備えたレンズ鏡筒であることを特徴とする請求項１から請求項４のいずれか一項に記載のカメラ。
【請求項６】
請求項１から請求項５のいずれか一項に記載のカメラと、
前記カメラの前記電気接点と対向する位置にレンズ側電気接点が設けられており、前記電気接点に接触した前記レンズ側電気接点を介して前記情報の伝達を行う第３の伝達手段と、前記カメラの前記第２の伝達手段と非接触で前記情報の伝達を行う第４の伝達手段とを有するレンズ鏡筒と、
を有することを特徴とするカメラシステム。
【発明の詳細な説明】
【技術分野】
【０００１】
本発明は、カメラ、カメラシステムに関する。
【背景技術】
【０００２】
従来、レンズ鏡筒等の電子機器をマウント部に装着し、マウント部に設けられた電気接点等の情報伝達手段を介して電子機器と通信を行う構成のカメラが知られている（例えば、特許文献１を参照。）。
【先行技術文献】
【特許文献】
【０００３】
【特許文献１】特開2004-53876号公報
【発明の概要】
【発明が解決しようとする課題】
【０００４】
しかしながら従来のカメラは、上述のような情報伝達手段に故障等が発生した場合、電子機器と通信不能になってしまうという問題があった。
そこで本発明は上記問題点に鑑みてなされたものであり、電子機器を装着可能であり、該電子機器と通信不能になることを解消したカメラ、カメラシステムを提供することを目的とする。
【課題を解決するための手段】
【０００５】
上記課題を解決するために本発明は、
電気接点が設けられ、電子機器が着脱可能に取り付けられる取付部と、
前記電気接点を介して前記電子機器との間で情報の伝達を行う第１の伝達手段と、
前記電子機器との間で非接触で前記情報の伝達を行う第２の伝達手段と、
前記第１の伝達手段又は前記第２の伝達手段を用いて前記電子機器と通信を行う制御手段と、
を有し、
前記制御手段は、前記第１の伝達手段による通信と前記第２の伝達手段による通信のうち、前記電子機器が実行可能な通信を判定して実行することを特徴とするカメラを提供する。
【０００６】
また、本発明のカメラと、
前記カメラの前記電気接点と対向する位置にレンズ側電気接点が設けられており、前記電気接点に接触した前記レンズ側電気接点を介して前記情報の伝達を行う第３の伝達手段と、前記カメラの前記第２の伝達手段と非接触で前記情報の伝達を行う第４の伝達手段とを有するレンズ鏡筒と、
を有することを特徴とするカメラシステムを提供する。
【発明の効果】
【０００７】
本発明によれば、電子機器を装着可能であり、該電子機器と通信不能になることを解消したカメラ、カメラシステムを提供することができる。
【図面の簡単な説明】
【０００８】
【図１】本発明の実施形態に係るカメラシステムの構成を示す図である。
【図２】本発明の実施形態に係るカメラシステムで実行される通信設定ルーチンを示すフローチャートである。
【発明を実施するための形態】
【０００９】
本発明の実施形態に係るカメラシステムについて添付図面に基づいて説明する。
図１に示すようにカメラシステム１は、カメラ２と、該カメラ２に着脱可能に取り付けられたレンズ鏡筒３とからなる。
カメラ２は、レンズ交換式の一眼レフデジタルカメラであって、カメラマイコン４、マウント部５、カメラ送信部６、及びカメラ受信部７を有している。
カメラマイコン４は、後述するカメラ接点８、又はカメラ送信部６とカメラ受信部７とを介して、レンズ鏡筒３に備えられた後述するレンズマイコン１２と通信を行うものである。
【００１０】
マウント部５は、カメラ２に種々のレンズ鏡筒を着脱可能に取り付けるためのカメラマウントである。マウント部５には、レンズ鏡筒３に備えられた後述するレンズ接点１６と直接接触するように電気接点８（「カメラ接点８」と称する。）が設けられている。カメラ接点８は、カメラ２とレンズ鏡筒３との間で情報の伝達を行うためのものであり、信号線９を介してカメラマイコン４と接続されている。
【００１１】
カメラ送信部６は、レンズ鏡筒３に備えられた後述するレンズ受信部１５に通信用の電波を送信するものである。カメラ受信部７は、レンズ鏡筒３に備えられた後述するレンズ送信部１４から送信された通信用の電波を受信するものである。カメラ送信部６及びカメラ受信部７は、カメラ２とレンズ鏡筒３との間で非接触で情報の伝達を行うものであり、それぞれ信号線１０を介してカメラマイコン４と接続されている。
なお、カメラ２には、上述したカメラマイコン４等の他に、一般的な構成の一眼レフデジタルカメラと同様にＣＣＤや液晶モニタ等の公知のカメラ要素（不図示）が備えられている。
【００１２】
レンズ鏡筒３は、撮影レンズ１１を保持しており、レンズマイコン１２、マウント部１３、レンズ送信部１４、及びレンズ受信部１５を有している。
レンズマイコン１２は、後述するレンズ接点１６、又はレンズ送信部１４とレンズ受信部１５とを介して、カメラ２のカメラマイコン４と通信を行うものである。
【００１３】
マウント部１３は、カメラ２のマウント部５に取り付けられるレンズマウントである。マウント部１３において、カメラ２のカメラ接点８と対向する位置には、電気接点１６（「レンズ接点１６」と称する。）が設けられている。なお、レンズ接点１６は信号線１７を介してレンズマイコン１２と接続されている。
【００１４】
レンズ送信部１４は、カメラ２のカメラ受信部７に通信用の電波を送信するものである。レンズ受信部１５は、カメラ２のカメラ送信部６から送信された通信用の電波を受信するものである。なお、レンズ送信部１４及びレンズ受信部１５は、それぞれ信号線１８を介してレンズマイコン１２と接続されている。
なお、レンズ鏡筒３には、上述したレンズマイコン１２等の他に、一眼レフデジタルカメラ等に用いられる一般的な構成のレンズ鏡筒と同様に絞り等の公知のレンズ要素（不図示）が備えられている。
【００１５】
上記構成の下、本実施形態に係るカメラシステム１では、カメラマイコン４からカメラ接点８へ出力された所定の情報（例えば、撮影レンズ１１や絞りの駆動情報等）は、該カメラ接点８とこれに接触したレンズ接点１６とを介してレンズマイコン１２に入力され、これによってレンズマイコン１２は前記所定の情報を取得することができる。一方、レンズマイコン１２からレンズ接点１６へ出力された所定の情報（例えば、レンズ鏡筒３の型番や撮影レンズ１１の焦点距離情報等）は、該レンズ接点１６とカメラ接点８とを介してカメラマイコン４に入力され、これによってカメラマイコン４は前記所定の情報を取得することができる。このように本実施形態に係るカメラシステム１では、カメラ接点８及びレンズ接点１６を介して、カメラ２とレンズ鏡筒３との間で通信を行うことができる。なお、斯かる通信を「マウント接点による通信」と称する。
【００１６】
また、本実施形態に係るカメラシステム１では、カメラマイコン４からカメラ送信部６へ出力された所定の情報は、カメラ送信部６から電波でレンズ受信部１５へ送信される。これにより前記電波がレンズ受信部１５で受信され、この受信信号からレンズマイコン１２は前記所定の情報を取得することができる。一方、レンズマイコン１２からレンズ送信部１４へ出力された所定の情報は、レンズ送信部１４から電波でカメラ受信部７へ送信される。これにより前記電波がカメラ受信部７で受信され、この受信信号からカメラマイコン４は前記所定の情報を取得することができる。このように本実施形態に係るカメラシステム１では、カメラ送信部６、カメラ受信部７、レンズ送信部１４、及びレンズ受信部１５によって、カメラ２とレンズ鏡筒３との間で非接触で通信を行うことができる。なお、斯かる通信を「電波通信」と称する。
【００１７】
上記構成の本実施形態に係るカメラシステム１は、図２に示し以下に詳述する通信設定ルーチンを、カメラ２がレンズ鏡筒３と通信を行う度に前もって実行するように構成されている。
ステップＳ１：カメラマイコン４がマウント接点による通信を実行する。
ステップＳ２：カメラマイコン４がステップＳ１においてマウント接点による通信が正常に実行されたか否かを判定する。マウント接点による通信が正常に実行された場合にはステップＳ５へ進み、そうでない場合はステップＳ３へ進む。
【００１８】
ステップＳ３：カメラマイコン４が電波通信を実行する。
ステップＳ４：カメラマイコン４がステップＳ３において電波通信が正常に実行されたか否かを判定する。電波通信が正常に実行された場合にはステップＳ６へ進み、そうでない場合はステップＳ１へ戻る。
ステップＳ５：カメラマイコン４がマウント接点による通信を実行し、通信完了後、通信設定ルーチンを終了する。
ステップＳ６：カメラマイコン４が電波通信を実行し、通信完了後、通信設定ルーチンを終了する。
【００１９】
以上、本実施形態に係るカメラシステム１は、上記通信設定ルーチンを実行することで、マウント接点による通信が実行可能か否かの判定（ステップＳ１及びステップＳ２）と、電波通信が実行可能か否かの判定（ステップＳ３及びステップＳ４）とを行うことができる。そして、これらの判定結果に基づいて、マウント接点による通信と電波通信のうち、実行可能な通信を優先して実行することができる。したがって、カメラ接点８とレンズ接点１６の摩耗による接触不良の発生等によってマウント接点による通信が実行不可能である場合には電波通信が自動的に実行され、妨害電波の多い環境等で電波通信が実行不可能である場合にはマウント接点による通信が自動的に実行されることとなる。このようにして本実施形態に係るカメラシステム１では、カメラ２とレンズ鏡筒３とが通信不能になってしまうことを適切に解消することができる。
【００２０】
また、本実施形態に係るカメラシステム１において、マウント接点による通信と電波通信の両方が実行可能である場合には、上記通信設定ルーチンにより、電波通信に比して消費電力の少ないマウント接点による通信が優先して実行されることとなる。これにより、本実施形態に係るカメラシステム１の省電力化を図ることができる。
【００２１】
また、本実施形態に係るカメラシステム１では、上述のように通信設定ルーチンがカメラ２がレンズ鏡筒３と通信を行う度に前もって実行される。このため、例えば、前回の通信時にマウント接点による通信を行い、その後でカメラ接点８とレンズ接点１６の接触不良等が発生した場合でも、次回の通信時には前もって通信設定ルーチンが実行されて電波通信に切り替わることとなるため、通信不能になることを適切に解消することができる。
【００２２】
なお、本実施形態に係るカメラシステム１は、通信の途中で通信不能に陥った場合には、通信を中止し、再度通信設定ルーチンを実行する構成とすることが望ましい。この構成により、通信の途中で通信不能に陥った場合でも、マウント接点による通信と電波通信とを適切に切り替えることができ、通信不能になることを解消することができる。
【００２３】
また、本実施形態に係るカメラシステム１において、レンズ鏡筒３の代わりに、マウント接点による通信のみを実行可能なレンズ鏡筒（レンズ送信部１４とレンズ受信部１５を備えていないレンズ鏡筒）や、電波通信のみを実行可能なレンズ鏡筒（レンズ接点１６を備えていないレンズ鏡筒）がカメラ２に装着された場合には、上記通信設定ルーチンにより、当該レンズ鏡筒が実行可能な通信を判定することができ、判定した通信を実行することができる。このように本実施形態におけるカメラ２は、マウント接点による通信のみを実行可能なレンズ鏡筒、電波通信のみを実行可能なレンズ鏡筒の両方に対応して通信を行うことができるという効果も有している。
【００２４】
また、本実施形態に係るカメラシステム１は、上述のように電波通信を行う構成であるため、これに用いられるカメラ送信部６及びカメラ受信部７のカメラ２内における配置場所の自由度と、レンズ送信部１４及びレンズ受信部１５のレンズ鏡筒３内における配置場所の自由度が大きいという利点がある。なお、電波通信に限られず、カメラ２とレンズ鏡筒３との間で非接触で情報の伝達を行うその他の通信を行う構成（例えば、カメラ２とレンズ鏡筒３のそれぞれに発光部と受光部を配置して光無線通信を行う構成等）としてもよい。
【００２５】
また、本実施形態に係るカメラシステム１では、上述のように通信設定ルーチンに基づいてカメラマイコン４が各ステップＳ１〜Ｓ６を実行する構成であるが、レンズマイコン１２が各ステップＳ１〜Ｓ６を実行する構成としてもよい。
また、本実施形態では、カメラ２とレンズ鏡筒３からなるカメラシステム１を例示しているが、本発明はこれに限られず、カメラ２とその他の電子機器（例えば、外付けのストロボ装置等）からなるカメラシステム１に適用することも可能である。
【００２６】
以上の実施形態によれば、電子機器を装着可能であり、該電子機器と通信不能になることを解消したカメラ、カメラシステムを実現することができる。
【符号の説明】
【００２７】
１          カメラシステム
２          カメラ
３          レンズ鏡筒
４          カメラマイコン
５          マウント部
６          カメラ送信部
７          カメラ受信部
８          カメラ接点
９，１０    信号線
１１        撮影レンズ
１２        レンズマイコン
１３        マウント部
１４        レンズ送信部
１５        レンズ受信部
１６        レンズ接点
１７，１８  信号線
【図１】
2011059197.tif 000003
【図２】
2011059197.tif 000004